(57)【要約】【課題】  より利便性の高い駅務機器、及び改札機を提供する。【解決手段】  一実施形態に係る駅務機器は、利用者の所持するＩＣカードから改札内で行われた決済の内容を示す決済情報及び切符情報を読み取る読取部と、入場駅と出場駅とが異なる場合、前記切符情報に基づいて通行の可否を判定する第１の通行判定部と、入場駅と出場駅とが同じである場合、前記決済情報に基づいて通行の可否を判定する第２の通行判定部と、前記第１の通行判定部または前記第２の通行判定部の判定結果に基づいて、前記利用者の通行を制御する通行制御部と、を具備する。【選択図】      図５
2014182504.tif 000002
【特許請求の範囲】
【請求項１】
利用者の所持するＩＣカードから改札内で行われた決済の内容を示す決済情報及び切符情報を読み取る読取部と、
入場駅と出場駅とが異なる場合、前記切符情報に基づいて通行の可否を判定する第１の通行判定部と、
入場駅と出場駅とが同じである場合、前記決済情報に基づいて通行の可否を判定する第２の通行判定部と、
前記第１の通行判定部または前記第２の通行判定部の判定結果に基づいて、前記利用者の通行を制御する通行制御部と、
を具備する駅務機器。
【請求項２】
前記第２の通行判定部は、前記決済情報が示す決済金額が予め設定された金額以上である場合、前記利用者の通行を許可する、請求項１に記載の駅務機器。
【請求項３】
前記第２の通行判定部は、前記ＩＣカードに記憶されている複数の決済情報を時間に応じて絞り込み、絞り込んだ複数の決済情報が示す決済金額の合計が予め設定された金額以上である場合、前記利用者の通行を許可する、請求項２に記載の駅務機器。
【請求項４】
前記第２の通行判定部は、前記ＩＣカードに記憶されている決済情報から前記切符情報が示す入場時間以降の決済情報を絞り込み、絞り込んだ決済情報が示す決済金額が予め設定された金額以上である場合、前記利用者の通行を許可する、請求項２に記載の駅務機器。
【請求項５】
利用者の所持するＩＣカードから改札内で行われた決済の内容を示す決済情報及び切符情報を読み取る読取部と、
入場駅と出場駅とが異なる場合、前記切符情報に基づいて通行の可否を判定する第１の通行判定部と、
入場駅と出場駅とが同じである場合、前記決済情報に基づいて通行の可否を判定する第２の通行判定部と、
前記第１の通行判定部または前記第２の通行判定部の判定結果に基づいて、前記利用者の通行を制御する通行制御部と、
を具備する改札機。
【発明の詳細な説明】
【技術分野】
【０００１】
本発明の実施形態は、駅務機器、及び改札機に関する。
【背景技術】
【０００２】
鉄道の駅には、各種の駅務処理を行なう駅務機器が設置されている。駅務機器は、例えば、改札機、券売機、精算機、または窓口端末などである。これらの駅務機器は、入場券、定期券、及び乗車券などに対して種々の処理を行う。
【０００３】
例えば、入場券、定期券、及び乗車券などは、所定の情報が記憶されるＩＣカードなどにより構成されるものがある。またさらに、ＩＣカードは、利用者の所持する携帯電話などに内蔵されるものも一般的に知られている。
【０００４】
またさらに、ＩＣカードに記憶されている情報に基づいて、物品の販売の際の決済を行う決済端末などが一般的に実用化されている。
【先行技術文献】
【特許文献】
【０００５】
【特許文献１】特開２００２−２６００２３号公報
【発明の概要】
【発明が解決しようとする課題】
【０００６】
近年、改札内の商業施設が充実している。また、鉄道を利用することなく、改札内の商業施設を利用したいという需要も高まっている。しかし、現状の駅務機器では、ＩＣカードを用いて改札内に入場した場合、入場した駅の改札から出場することができないという課題がある。
【０００７】
本発明は、より利便性の高い駅務機器、及び改札機を提供することを目的とする。
【課題を解決するための手段】
【０００８】
一実施形態に係る駅務機器は、利用者の所持するＩＣカードから改札内で行われた決済の内容を示す決済情報及び切符情報を読み取る読取部と、入場駅と出場駅とが異なる場合、前記切符情報に基づいて通行の可否を判定する第１の通行判定部と、入場駅と出場駅とが同じである場合、前記決済情報に基づいて通行の可否を判定する第２の通行判定部と、前記第１の通行判定部または前記第２の通行判定部の判定結果に基づいて、前記利用者の通行を制御する通行制御部と、を具備する。
【図面の簡単な説明】
【０００９】
【図１】図１は、一実施形態に係る駅務システムについて説明するための説明図である。
【図２】図２は、一実施形態に係る駅務システムについて説明するための説明図である。
【図３】図３は、一実施形態に係る駅務システムについて説明するための説明図である。
【図４】図４は、一実施形態に係る駅務システムについて説明するための説明図である。
【図５】図５は、一実施形態に係る駅務システムについて説明するための説明図である。
【発明を実施するための形態】
【００１０】
以下、図面を参照しながら駅務システムについて詳細に説明する。  
鉄道各社の駅に設置される券売機、改札機、及び精算機などの駅務機器は、駅務システムを構成する。駅務システムは、鉄道などの交通機関において種々の駅務処理を行なう。各駅務機器は、乗車券を処理することにより、利用者に鉄道機関を利用させることができる。各駅務機器は、例えば各駅に設置される監視盤の制御に基づいて動作する。監視盤は、各駅務機器の運用状況及び運用データなどの管理を行なう。
【００１１】
なお、駅務システムの各駅務機器は、路線内の複数の駅にも設置される。これにより、駅務システム全体が構成される。このような駅務システムでは、各駅において、利用者に対する駅構内への入場あるいは駅構内からの出場などに関する業務を各駅務機器を用いて実施している。
【００１２】
図１は、駅務システム１００について説明するための説明図である。  
図１に示す駅務システム１００は、種々の駅務機器を備える。駅務システム１００は、例えば、券売機１１０、決済端末１２０、及び改札機１４０などの駅務機器を備える。
【００１３】
券売機１１０は、種々の乗車券を発行する発行装置として機能する。券売機１１０は、例えば利用者により入力される操作に基づいて入場券、普通乗車券、自由席特急券及び指定席特急券などの料金券、並びに精算券（総じて切符と称する）を発行するためのデータ（切符情報）を生成する。券売機１１０は、生成した切符情報に基づいて磁気乗車券、または二次元コードを用いた乗車券などを発行する。
【００１４】
また、券売機１１０は、利用者により入力される操作に基づいて、利用者の所持するＩＣカード（ＩＣ乗車券）１８０の残額をチャージする。券売機１１０は、ＩＣカード１８０にチャージ残額の積み増しを行うことができる。また、券売機１１０は、ＩＣカード１８０を使った精算時に不足金額に応じた金額をチャージすることができる。
【００１５】
決済端末１２０は、駅の改札内の店舗などに設置される。決済端末１２０は、料金の決済を行うことができる。決済端末１２０は、店舗に設置されるレジスタ、またはネットワーク上で決済を行う装置である。決済端末１２０は、ＩＣカード１８０と通信を行うことにより、ＩＣカード１８０に記憶されている残額情報を読み出すことができる。さらに、決済端末１２０は、読みだした残額情報を決済に用いることができる。また、決済端末１２０は、決済の結果を決済情報としてＩＣカード１８０に書き込むことができる。なお、ＩＣカード１８０は、複数の決済情報を履歴として記憶することができる。
【００１６】
改札機１４０は、駅の改札口などに設置される。改札機１４０は、利用者の所持する乗車券、及び／または切符としてのＩＣカード１８０に対して改札処理を行う。
【００１７】
券売機１１０は、切符としてのＩＣカード１８０の発行を行う。例えば、券売機１１０は、ＩＣカード１８０を処理する処理部と、ＩＣチップ及びアンテナを有する媒体を収容する収容部を備える。また、このＩＣチップは、種々の情報を記憶することができるメモリを備える。なお、ＩＣカード１８０を処理する処理部は、ＩＣカード１８０のアンテナと無線通信することができるアンテナを備える。券売機１１０は、このアンテナを介してＩＣカード１８０と無線通信を行うことができる。
【００１８】
ＩＣカード１８０を発行する場合、券売機１１０は、収容部に収容されている媒体に対して無線通信を行い、切符情報をＩＣチップに書き込む。これにより、券売機１１０は、切符としてのＩＣカード１８０を発行する。さらに、券売機１１０は、ＩＣカード１８０に運賃として利用される金銭的価値（残額）をチャージする処理を行う構成であってもよい。
【００１９】
ＩＣカード１８０のＩＣチップのメモリは、例えば、残額情報、乗降履歴などの切符情報と、決済情報とを記憶する。残額情報は、運賃の精算に利用可能である金額を示す情報である。乗降履歴は、改札を受ける際に記録される乗車と降車の履歴を示す情報である。決済情報は、上記したように決済端末１２０による決済の結果を示す情報である。即ち、決済情報は、改札内で行われた決済の内容を示す情報である。
【００２０】
また、券売機１１０は、利用者の所持するＩＣカード１８０を読み取ることができる。券売機１１０は、ＩＣカード１８０を挿入することができるスロットを備える。券売機１１０は、スロットに挿入されたＩＣカード１８０と無線通信を行う。なお、券売機１１０は、スロットではなく、ＩＣカード１８０と無線通信をする為のアンテナの位置が券売機１１０の筐体に示された構成であってもよい。
【００２１】
図２は、一実施形態に係る決済端末１２０について説明するための説明図である。  
決済端末１２０は、制御部１２１、記憶部１２２、表示部１２３、操作部１２４、ＩＣカード処理部１２８を備える。
【００２２】
制御部１２１は、決済端末１２０の動作を制御する。記憶部１２２は、決済端末１２０の制御に必要な制御データを予め格納している。
【００２３】
表示部１２３は、制御部１２１の制御に基づいて種々の情報を表示する。表示部１２３は、液晶表示器などで構成されている。この表示部１２３は、制御部１２１による制御に基づいて、決済端末１２０を操作する操作者及び利用者に対して決済に必要な各種操作を案内する画面を表示する。
【００２４】
操作部１２４は、利用者による操作入力に基づいて操作信号を生成する。操作部１２４は、各種ボタン、または、接触を検知し、検知した接触の位置に基づいて操作信号を生成するタッチパネルなどにより構成される。操作部１２４は、制御部１２１による制御に基づいて、利用者による各種操作の入力を受け付ける。例えば、操作部１２４は、決済に必要な情報の入力を受け付ける。
【００２５】
ＩＣカード処理部１２８は、ＩＣカード１８０に対して種々の処理を行う。例えば、ＩＣカード処理部１２８は、ＩＣカード１８０と無線通信を行う為のアンテナを備える。
【００２６】
例えば、ＩＣカード処理部１２８は、利用者の所持するＩＣカード１８０を読み取ることができる。ＩＣカード処理部１２８は、ＩＣカード１８０を挿入することができるスロットを備える。ＩＣカード処理部１２８は、スロットに挿入されたＩＣカード１８０と無線通信を行う。
【００２７】
なお、ＩＣカード処理部１２８は、スロットではなく、ＩＣカード１８０と無線通信をする為のアンテナの位置が決済端末１２０の筐体に示された構成であってもよい。
【００２８】
また、決済端末１２０は、店舗での販売物などのバーコードの読み取り、または操作入力に基づいて精算額を算出する。決済端末１２０は、ＩＣカード処理部１２８によりＩＣカード１８０と通信を行い、ＩＣカード１８０に記憶されている残額情報を読み出す。さらに、決済端末１２０は、ＩＣカード１８０の残額情報から精算額を差し引くことにより、決済を行うことができる。また、決済端末１２０は、決済の結果を決済情報としてＩＣカード１８０に書き込む。即ち、決済情報は、決済が行われた日時、金額、店舗などを示す。ＩＣカード１８０は、複数の決済情報を履歴として記憶することができる。
【００２９】
なお、決済端末１２０は、現金により決済された場合に決済情報を生成し、決済情報をＩＣカード１８０に書き込む構成であってもよい。この場合、決済端末１２０は、現金で精算額の決済を行う場合、ＩＣカード１８０の所持者にＩＣカード１８０をＩＣカード処理部１２８と通信可能な状態にすることを促す表示を表示部１２３に表示する。さらに、決済端末１２０は、現金で精算額の決済が行われた場合、決済情報を生成し、生成した決済情報をＩＣカード処理部１２８によりＩＣカード１８０に書き込む。このように、決済に現金が用いられる場合であっても、決済端末１２０は、決済情報をＩＣカード１８０に書き込むことができる。
【００３０】
図３及び４は、改札機１４０の構成の例を示す。  
改札機１４０は、切符としてのＩＣカード１８０から情報を読み取り改札処理を行う。なお、ＩＣカード１８０は、利用者の所持する携帯電話などに内蔵されるものであってもよい。
【００３１】
改札機１４０は、駅の改札口などに設置される。改札機１４０は、改札口で利用者の所持する切符から取得する情報に基づいて、改札処理を行う。これにより、改札機１４０は、利用者の通行の可否を判断する。
【００３２】
図３及び図４により示されるように、改札機１４０は、主制御部１４１、ＩＣカード処理部１４３、ドア制御部１４４、ドア１４５、表示部１４６、及び本体１４７を備える。主制御部１４１、ＩＣカード処理部１４３、ドア制御部１４４、及び表示部１４６は、例えばバスなどを介して互いに接続される。
【００３３】
主制御部１４１は、改札機１４０の各部の動作を統合的に制御する。主制御部１４１は、切符情報に基づいて通行判定を行う。主制御部１４１は、通行判定の結果に基づいてドア制御部１４４を制御する。さらに、主制御部１４１は、通行判定の結果に基づいて種々の案内を表示部１４６に表示するように表示部１４６を制御する。
【００３４】
なお、主制御部１４１は、ＣＰＵ、ＲＯＭ、ＲＡＭ、及び不揮発性メモリなどを備える。ＣＰＵは、種々の演算処理を行う。ＣＰＵは、ＲＯＭに記憶されている制御プログラム及び制御データに基づいて種々の処理を行う。例えば、ＣＰＵは、ＲＯＭに記憶されているプログラムを実行することにより、通行判定、ドア制御部１４４の制御、及び表示部１４６による表示処理を行う。
【００３５】
ＲＯＭは、予め改札機１４０の制御用のプログラム及び制御データなどを記憶する不揮発性のメモリである。ＲＡＭは、ワーキングメモリとして機能する揮発性のメモリである。ＲＡＭは、ＣＰＵの処理中のデータなどを一時的に格納する。また、ＲＡＭは、ＣＰＵが実行するプログラムを一時的に展開して格納する。
【００３６】
不揮発性メモリは、ＣＰＵが実行する処理において用いられるプログラム及びデータを記憶する記憶部である。不揮発性メモリは、通行判定、ドア制御部１４４の制御、及び表示部１４６による表示処理などに用いるデータを記憶する。例えば、不揮発性メモリは、運賃データなどを記憶する。
【００３７】
ＩＣカード処理部１４３は、利用者が所持する切符としてのＩＣカード１８０に対して処理を行う。ＩＣカード処理部１４３は、送受信部を備える。送受信部は、例えば、ＩＣカード１８０のアンテナを無線通信を行う為のアンテナなどを備える。送受信部は、アンテナによりＩＣカード１８０と無線通信を行う。送受信部は、アンテナから放射される電波が届く範囲（送受信可能エリア）内に存在するＩＣカード１８０を検知する。送受信部は、ＩＣカード１８０を検知する場合、ＩＣカード１８０との間でコマンド及びレスポンスを送受信し、ＩＣカード１８０から切符情報を読み取る。
【００３８】
ＩＣカード１８０は、上記したように、残額情報、及び乗降履歴などの切符情報と、決済情報とを記憶する。ＩＣカード処理部１４３は、読み取った切符情報及び決済情報を主制御部１４１に送信する。
【００３９】
なお、利用者が駅構内に入場する場合、ＩＣカード処理部１４３は、主制御部１４１の制御に基づいて、ＩＣカード１８０のメモリに入場情報を書き込む。また、利用者が駅構内から出場する場合、ＩＣカード処理部１４３は、主制御部１４１の制御に基づいて、ＩＣカード１８０に出場情報を書き込む。改札機１４０は、入場情報及び出場情報を切符情報の一部として書き込む。
【００４０】
図３により示されるように、ドア１４５は、改札機１４０の本体１４７の側面部に設置されている。また、通常、複数の改札機１４０が改札口に並列に設置される。複数の改札機１４０の本体１４７により少なくとも１つ以上の通路が形成される。ドア１４５は、この通路を塞ぐように開閉する。
【００４１】
表示部１４６は、主制御部１４１の制御に基づいて、種々の案内を表示する。表示部１４６は、液晶ディスプレイ、プラズマディスプレイ、有機ＥＬディスプレイ、または他の表示装置などのうちのいずれかを備える。例えば、表示部１４６は、通行の可否、残額情報が示す金額、定期券の有効期限、及び、利用者を窓口に誘導する案内などを表示する。
【００４２】
改札機１４０は、通常、ドア１４５を開いた状態で維持する。即ち、改札機１４０のドア制御部１４４は、ドア１４５を閉める動作を待つ状態となる。
【００４３】
ここで、例えば、主制御部１４１による通行判定が行われたとする。主制御部１４１は、通行判定において、通行不可と判定した場合、ドア１４５を閉じるようにドア制御部１４４を制御する。この場合、ドア制御部１４４は、ドア１４５を閉じるようにドアの開閉機構のモータなどを動作させる。これにより、改札機１４０は、通行不可と判定された切符を所持する利用者の通行を防ぐことができる。
【００４４】
図５は、改札機１４０による改札処理の例を示す。なお、ここでは、出場時の改札機１４０の改札処理について説明する。  
上記したように、ＩＣカード処理部１４３は、ＩＣカード１８０を読み取る（ステップＳ１１）。これにより改札機１４０は、切符情報、及び決済情報を取得する。また、改札機１４０は、切符情報に基づいて直前の入場情報を取得することができる。これにより、改札機１４０は、ＩＣカード１８０の所持者が入場した入場駅を認識することができる。
【００４５】
改札機１４０は、認識した入場駅と、出場駅が同駅であるか否か判断する（ステップＳ１２）。即ち、改札機１４０は、認識した入場駅と、改札機１４０が設置されている駅とが同じ駅であるか否か判断する。
【００４６】
入場駅と出場駅とが異なる駅である場合、改札機１４０は、通行判定を行う。これにより、改札機１４０は、通行判定が可であるか不可であるか判定する（ステップＳ１３）。即ち、改札機１４０は、認識した入場駅と、不揮発性メモリなどにより記憶されている運賃データと、に基づいて引き去り額（運賃）を算出する。この為に、改札機１４０は、入場駅、出場駅、及び金額が対応付けられたテーブルなどを不揮発性メモリに保持する。改札機１４０は、このテーブルに基づいて運賃を算出し、算出した運賃をＩＣカード１８０の残額情報から差し引くようにＩＣカード処理部１４３を制御する。改札機１４０は、ＩＣカード１８０の残額情報が運賃以上である場合、利用者の通行を可と判定する。
【００４７】
改札機１４０は、通行判定が可である場合、利用者の通行を促す表示を表示部１４６に表示させ、ドア１４５を開くようにドア制御部１４４を制御する（ステップＳ１４）。
【００４８】
また、改札機１４０は、入出場時にＩＣカード処理部１４３によりＩＣカード１８０に入出場情報（乗降履歴）を書き込んでもよい。主制御部１４１は、この入場情報及び出場情報などの履歴を示す乗降履歴に基づいて、過去の出場情報及び入場情報の正当性を判断し、正当であると判断した場合、通行判定を行う構成であってもよい。
【００４９】
また、通行判定が不可である場合、主制御部１４１は、ドア１４５を閉めるようにドア制御部１４４に制御信号（閉信号）を送信する（ステップＳ１５）。ドア制御部１４４は、ドア１４５の開閉を制御することにより、利用者の通行を制御する。ドア制御部１４４は、ドア１４５の開閉を制御するドア開閉機構（図示せず）を備える。ドア制御部１４４は、主制御部１４１からの閉信号の有無に基づいて、ドア１４５の開閉を制御する。ドア制御部１４４は、主制御部１４１から閉信号を受信した場合、ドアの開閉機構のモータなどを動作させることにより、ドア１４５を閉じる。
【００５０】
また、ステップＳ１２で、入場駅と出場駅とが同じであると判定した場合、改札機１４０は、決済情報が予め設定された金額（所定金額）以上であるか判定する（ステップＳ１６）。即ち、改札機１４０は、ＩＣカード１８０から読み出した決済情報が示す金額が、予め設定された金額以上であるか否か判定する。例えば、改札機１４０は、初乗り運賃、または入場券の金額を所定金額として設定する。この場合、改札機１４０は、初乗り運賃、または入場券の金額以上の決済が改札内で行われたか否か判定することができる。
【００５１】
改札機１４０は、決済情報が所定金額以上であると判定した場合、ステップＳ１４に移行する。この場合、改札機１４０は、通行判定が可である場合と同様に、利用者の通行を促す表示を表示部１４６に表示させ、ドア１４５を開くようにドア制御部１４４を制御する。
【００５２】
また、改札機１４０は、決済情報が所定金額未満であると判定した場合、ステップＳ１３に移行する。この場合、改札機１４０は、ＩＣカード１８０から読み取った切符情報などに基づいて通行判定を行う。
【００５３】
上記した構成によると、改札機１４０は、入場駅と出場駅とが同じであり、且つ所定金額以上の決済が改札内で行われていた場合、ＩＣカード１８０の残額情報に対する精算を行わずに、利用者の出場を許可する。この構成によると、鉄道を利用せずに、改札内の店舗及び施設を利用することを目的とした利用者が、入場駅と同じ駅の改札からＩＣカード１８０を用いて出場することができる。また、利用者は、入場券などを購入する必要が無くなる。このような駅務機器によると、利用者は、より簡易に改札内の店舗及び施設を利用することができる。この結果、より利便性の高い駅務機器、及び改札機を提供することができる。
【００５４】
なお、改札機１４０は、図５のステップＳ１６で比較に用いる決済情報を絞り込む構成であってもよい。例えば、改札機１４０は、ＩＣカード１８０に記憶されている決済情報のうちで、当日分の決済情報を絞り込む。改札機１４０は、絞り込んだ決済情報のうちで所定金額以上の決済情報が存在するか否か判定する。所定金額以上の決済情報が存在する場合、改札機１４０は、ＩＣカード１８０に対して精算を行わずに、利用者の通行を許可する。
【００５５】
また、改札機１４０は、比較に用いる決済情報を時間で絞り込む構成であってもよい。例えば、改札機１４０は、ＩＣカード１８０に記憶されている決済情報のうちで、予め設定された時間内の決済情報を絞り込む。例えば、改札機１４０は、ＩＣカード１８０に記憶されている決済情報のうちで、切符情報が示す入場時間以降の決済情報を絞り込む。改札機１４０は、絞り込んだ決済情報のうちで所定金額以上の決済情報が存在するか否か判定する。所定金額以上の決済情報が存在する場合、改札機１４０は、ＩＣカード１８０に対して精算を行わずに、利用者の通行を許可する。
【００５６】
また、改札機１４０は、決済情報の金額と所定金額との比較を行わない構成であってもよい。例えば、改札機１４０は、当日、または所定時間内に生成された決済情報がＩＣカード１８０に記憶されている場合、ＩＣカード１８０に対して精算を行わずに、利用者の通行を許可する構成であってもよい。
【００５７】
また、改札機１４０は、比較に用いる決済情報を時間で絞り込み、絞り込んだ決済情報の金額の合計に基づいて通行を許可するか否か判定する構成であってもよい。例えば、改札機１４０は、ＩＣカード１８０に記憶されている決済情報を日時に基づいて絞り込む。改札機１４０は、絞り込んだ決済情報の決済金額の合計額を算出する。
【００５８】
例えば、改札機１４０は、切符情報が示す入場時間以降の決済情報を絞り込む。さらに、改札機１４０は、切符情報が示す入場時間以降の決済情報の決済金額の合計額を算出する。これにより、改札機１４０は、利用者が改札内に入場してから決済に用いた金額の合計を認識することができる。
【００５９】
改札機１４０は、合計額が所定金額以上である場合、ＩＣカード１８０に対して精算を行わずに、利用者の通行を許可する構成であってもよい。このような構成によっても、より利便性の高い駅務機器、及び改札機を提供することができる。
【００６０】
また、改札機１４０は、入場駅と出場駅とが同じであり、且つ所定金額以上の決済が改札内で行われていた場合であっても、入場時間から予め設定された時間が経過していた場合、ＩＣカード１８０に対して通行判定を行う構成であってもよい。即ち、改札機１４０は、入場駅と出場駅とが同じであり、且つ所定金額以上の決済が改札内で行われていた場合、切符情報が示す入場時間を確認する。改札機１４０は、現在の時刻が入場時間から予め設定された時間以内であるか判定する。改札機１４０は、現在の時刻が入場時間から予め設定された時間外であると判定した場合、ＩＣカード１８０から読み取った切符情報に基づいて通行判定を行う。これにより、改札機１４０は、決済情報が不正に利用されることを防ぐことができる。
【００６１】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６３】
１００…駅務システム、１１０…券売機、１２０…決済端末、１２１…制御部、１２２…記憶部、１２３…表示部、１２４…操作部、１２８…ＩＣカード処理部、１４０…改札機、１４１…主制御部、１４３…ＩＣカード処理部、１４４…ドア制御部、１４５…ドア、１４６…表示部、１４７…本体、１８０…ＩＣカード。
【図１】
2014182504.tif 000003
【図２】
2014182504.tif 000004
【図３】
2014182504.tif 000005
【図４】
2014182504.tif 000006
【図５】
2014182504.tif 000007